(57)【要約】      （修正有）【課題】薄地のプラスチックシートを用いて容易に組み立てられ、かつ十分な強度を持つ組立式のカレンダースタンドを提供する。【解決手段】薄地のプラスチックシートであって、トムソン型を使用して打ち抜かれた複数の部品が差し込み部ｔ１、ｔ２、ｔ４〜ｔ７と差し込み部に対になり組み合わせられる切込み部ｓ１、ｓ２、ｓ４〜ｓ７を備え、それらの部品をシートから外して組み合わせたときに、糊やテープ等の接着道具を用いること無く物品を組立てる事を特徴とする。フック部に施された切り込み部がプラスチックシートの柔軟な収縮性と作用し、接合部を噛み合わせて形成する事で強固な構造を作り出し、射出成型に替わるカレンダースタンドとしての機能を持つ。【選択図】図１
0003212161.tif 000002
【実用新案登録請求の範囲】
【請求項１】
薄地のプラスチックシートであって、トムソン型を使用して打ち抜かれた複数の部品が差し込み部とこの差し込み部に対になり組み合わせられる切込み部を備えることで、それらの部品をシートから外して組み合わせたときに、糊やテープ等の接着道具を用いること無く物品を組立てる事を特徴とする組立式ペンスタンド付カレンダー
【請求項２】
請求項１に記載の組立式ペンスタンド付カレンダーはトムソン型を使用して打ち抜かれた複数物品中に、汎用的な卓上カレンダーの台紙の両端を係止する溝を備える物品を持ち、該物品の中央部にはペンスタンドとして使用する際の長方形の孔があらかじめ設けられている、また請求項１に記載の組立式ペンスタンド付カレンダーをプラスチックシートより切り離し組み立てた時の物品の底部にはフックが設けられており、前記係止用の溝とフックにより汎用的な卓上カレンダーの台紙が前方へずり落ちることを防ぐことを特徴とする組立式ペンスタンド付カレンダー
【請求項３】
前記プラスチックシート材料には、オフセット印刷により絵、文字及び写真が印刷されていることを特徴とする請求項１に組立式ペンスタンド付カレンダー
【考案の詳細な説明】
【考案の詳細な説明】
【技術分野】
【０００１】  本考案は主として、フイルムシート材料に対して施された、多目的に使用できる利便性の高いノベルティー商品に関するものである。
【背景技術】
【０００２】  従来のカレンダースタンドは射出成型を用いて作成され構造を変更しようとしたときに新規金型を製作する必要があった。また該物品の表面への印刷は構造上の問題から印刷方法が限られていた。
【考案が解決しようとする課題】
【０００３】  薄手のプラスチックシートに物品を構成し、物品同志を組み合わせる事で十分な強度を確保でき、かつ収納の利便性は高くなる。また薄手のプラスチックシートを使用することで軽量化を図ることが出来、輸送コストを抑えることができる。更に、オフセット印刷やインクジェットプリンターを用いて任意の図案や写真の絵柄を印刷することでノベルティーグッズとしての価値を高めることができる。
【課題を解決するための手段】
【０００４】  トムソンで打ち抜いた各部分の接合部分の構造を組み立てやすく、かつ外れにくくするために、フック部に切り込みを入れる、かつプラスチックシートの柔軟な収縮性を利用し、接合部を噛み合わせる事で強固な構造を作り出す事ができる。
【考案を実施するための形態】
【０００５】  図１は本考案の組立式ペンスタンド付カレンダー（１）の平面図である。組立式ペンスタンド付カレンダー（１）は薄手のプラスチックシートよりなりトムソン加工によって打ち抜かれた複数の物品が配置されている。
組立式ペンスタンド付カレンダー（１）には、フック構造を持った差し込み（ｔ１）（ｔ２）（ｔ３）（ｔ４）（ｔ５）（ｔ６）（ｔ７）と、これと対になる切込み（ｓ１）（ｓ２）（ｓ３）（ｓ４）（ｓ５）（ｓ６）（ｓ７）、をもった複数の物品、また、汎用的な卓上カレンダー台紙を固定するための溝（ｈ１）（ｈ２）、ならびに組立時該物品の底部に位置するフック（ｈ３）、筆記具や文房具を通すための孔（Ｋ）が大部分をトムソン加工によって打ち抜かれた状態で配置され簡便にシートより切り離すことが出来る状態である。
【０００６】  図２は本考案の組立式ペンスタンド付カレンダー（１）における、ペンスタンド部（２）の斜視図である。トムソン型で折筋加工、打ち抜き加工されたペンスタンド部（２）を組み立て、ペンスタンド部（２）の両端に対になるように設けられた複数の切込み（ｓ１）（ｓ２）（ｓ３）（ｓ４）（ｓ５）（ｓ６）（ｓ７）に差し込み（ｔ１）（ｔ２）（ｔ３）（ｔ４）（ｔ５）（ｔ６）（ｔ７）組み合わせる事で、糊やテープ等の接着道具がなくても強度を保つ事ができる。
【０００７】  図３は本考案の本考案の組立式ペンスタンド付カレンダー（１）の溝部（ｈ１）（ｈ２）ならびに組立時該物品の底部に位置するフック（ｈ３）を用いて一般的なス卓上カレンダー台紙（Ｃ）を固定した場合の斜視図である。この時本考案の組立式ペンスタンド付カレンダー（１）におけるペンスタンド部（２）の天面に設けられた孔（Ｋ）に筆記用具が挿入され係止されている。また、ペンスタンド部（２）の天面には差し込み（ｔ３）と対になる在籍表示板（Ｚ）の脚部にある差し込み（ｓ３）が設けられ、それらを組み合わせることで使用者の離席、在籍状況を堅持することもできる。
【図面の簡単な説明】
【０００８】
【図１】本考案の組立式ペンスタンド付カレンダーの平面図
【図２】図１の組立式ペンスタンド付カレンダーを組み立てた場合の斜視図
【図３】図２の組立式ペンスタンド付カレンダーに卓上カレンダー台紙を乗せた場合の斜視図
【０００９】１    組立式ペンスタンド付カレンダー
２    ペンスタンド部
ｔ１  差し込み１
ｔ２  差し込み２
ｔ３  差し込み３
ｔ４  差し込み４
ｔ５  差し込み５
ｔ６  差し込み６
ｔ７  差し込み７
ｓ１  切り込み１
ｓ２  切り込み２
ｓ３  切り込み３
ｓ４  切り込み４
ｓ５  切り込み５
ｓ６  切り込み６
ｓ７  切り込み７
Ｃ    卓上カレンダー台紙
Ｐ    筆記用具
ｈ１  卓上カレンダー台紙係止用溝１
ｈ２  卓上カレンダー台紙係止用溝２
ｈ３  卓上カレンダー台紙係止用フック
Ｋ    孔
Ｚ    在籍表示板
【図１】
0003212161.tif 000003
【図２】
0003212161.tif 000004
【図３】
0003212161.tif 000005
【手続補正書】
【提出日】平成29年6月8日(2017.6.8)
【手続補正１】
【補正対象書類名】実用新案登録請求の範囲
【補正対象項目名】請求項２
【補正方法】変更
【補正の内容】
【請求項２】
請求項１に記載の組立式ペンスタンド付カレンダーはトムソン型を使用して打ち抜かれた複数物品中に、汎用的な卓上カレンダーの台紙の両端を係止する溝を備える物品を持ち、該物品の中央部にはペンスタンドとして使用する際の長方形の孔があらかじめ設けられており、また組立式ペンスタンド付カレンダーをプラスチックシートより切り離し組み立てた時の物品の底部にはフックが設けられており、前記係止用の溝とフックにより汎用的な卓上カレンダーの台紙が前方へずり落ちることを防ぐことを特徴とする組立式ペンスタンド付カレンダー
【手続補正２】
【補正対象書類名】実用新案登録請求の範囲
【補正対象項目名】請求項３
【補正方法】変更
【補正の内容】
【請求項３】
前記プラスチックシートには、オフセット印刷により絵、文字及び写真が印刷されていることを特徴とする請求項１に記載の組立式ペンスタンド付カレンダー